(57)【特許請求の範囲】
【請求項１】
筐体と、該筐体と共同して外形を形成するブザー作動用の操作子とを備えた携帯機器において、
前記操作子が、一端を保持した棒状体を備え、
前記筐体が、入口側が該棒状体の径よりも広く途中で段差を持って細径に形成された、前記棒状体が挿入される第１の孔を有し、
当該携帯機器が、
前記筐体内に配置されて前記第１の孔から挿入された前記棒状体による作用を受け、前記操作子が該棒状体を該孔から引き抜く方向に操作されたことを検出するセンサと、
前記センサによる、前記操作子が操作されたことの検出を受けて作動するブザーと、
前記棒状体が摺動自在に挿入される第２の孔が形成され前記第１の孔の入口側の部分に圧入された圧入部材と、
前記第１の孔内の、前記段差と前記圧入部材とに挟まれた部分に配置され、該第１の孔の内壁と前記棒状体との双方に接して該第１の孔からの水の浸入を防止するＯリングとを備えたことを特徴とする携帯機器。
【請求項２】
前記筐体は、前記棒状体が前記第１の孔から引き抜かれる方向に所定ストロークだけ操作されたときに該操作子が当接して、該棒状体の、該第１の孔からの引き抜きを防止するストッパ部を有することを特徴とする請求項１記載の携帯機器。
【請求項３】
前記センサは、前記棒状体が、前記第１の孔内に、該第１の孔の更なる奥への挿入が不能な位置まで挿入された位置にあるときに前記棒状体による作用を受け、前記操作子が前記ストッパ部に当接するまで操作される途中で該棒状体による作用が解除されるスイッチであることを特徴とする請求項１又は２記載の携帯機器。
【請求項４】
当該携帯機器が、無線通信機能を有する携帯電話機であることを特徴とする請求項１から３のうちいずれか１項記載の携帯機器。
【発明の詳細な説明】
【技術分野】
【０００１】
本発明は、筐体と、その筐体と共同して外形を形成するブザー作動用の操作子とを備えた携帯機器に関する。
【背景技術】
【０００２】
近年、携帯電話機や携帯型のゲーム機などの携帯機器が広く普及している。それらの携帯機器は益々高機能化されてきているにもかかわらず、一方では小型化、軽量化が進んできており、さらに近年では防水機能も求められてきている。また、特に子供向けや女性向けに防犯ブザーを搭載した携帯機器も望まれている。例えば特許文献１には、携帯電話機に防犯ブザーを一体化した構成が示されている。また、防犯ブザーではないが、特許文献２には、リンガー（発音体）の放音孔を防水シールで塞ぐ構造が示されており、特許文献３には、電話機のスピーカ部を撥水シートで防水する構造が示されている。
【特許文献１】特開２００７−１０２００６号公報
【特許文献２】特開平９−２７０７２６号公報
【特許文献３】特開平８−１５４１１７号公報
【発明の開示】
【発明が解決しようとする課題】
【０００３】
ここで、携帯電話機等の携帯機器に防犯ブザー等のブザーを備え、さらに防水性能を付与しようとした場合に、小型化、軽量化の要請に反することなく、小スペースでどのようにしてブザーを搭載させてブザーを機能させ、さらに防水性能を満足させるかが問題となる。
【０００４】
本発明は上記事情に鑑み、小スペースでブザーを機能させるとともに防水性能を付与した携帯機器を提供することを目的とする。
【課題を解決するための手段】
【０００５】
上記目的を達成する本発明の携帯機器は、筐体と、その筐体と共同して外形を形成するブザー作動用の操作子とを備えた携帯機器において、
上記操作子が、一端を保持した棒状体を備え、
上記筐体が、入口側が上記棒状体の径よりも広く途中で段差を持って細径に形成された、上記棒状体が挿入される第１の孔を有し、
この携帯機器が、
筐体内に配置されて上記第１の孔から挿入された棒状体による作用を受け、操作子が棒状体を孔から引き抜く方向に操作されたことを検出するセンサと、
そのセンサによる、操作子が操作されたことの検出を受けて作動するブザーと、
上記棒状体が摺動自在に挿入される第２の孔が形成され上記第１の孔の入口側の部分に圧入された圧入部材と、
上記第１の孔内の、上記段差と上記圧入部材とに挟まれた部分に配置され、第１の孔の内壁と棒状体との双方に接して第１の孔からの水の浸入を防止するＯリングとを備えたことを特徴とする。
【０００６】
本発明は、上記の構造を有し、一本の棒状体を本体筐体に差し込む構造であり、上記の段差と圧入部材とでＯリングの位置を規制し、その棒状体の周囲を囲う小径のＯリングで防水性能が確保され、小型化、軽量化の要請を満足しつつ、ブザーを搭載し、さらに防水性能が付与される。
【０００７】
ここで、本発明の携帯機器において、上記筐体は、上記棒状体が上記第１の孔から引き抜かれる方向に所定ストロークだけ操作されたときに上記操作子が当接して、棒状体の、第１の孔からの引き抜きを防止するストッパ部を有することが好ましい。
【０００８】
このストッパ部を設けることにより、棒状体が第１の孔から完全に引き抜かれることが防止され、繰り返しの使用に便宜である。
【０００９】
また、本発明の携帯機器において、上記センサは、上記棒状体が、上記第１の孔内に、その第１の孔の更なる奥への挿入が不能な位置まで挿入された位置にあるときに、その棒状体による作用を受け、上記操作子がストッパ部に当接するまで操作される途中でその棒状体による作用が解除されるスイッチであってもよい。
【００１０】
本発明にいうセンサは、棒状体の挿抜を検出する簡単な構成のスイッチであってもよく、コストが抑えられる。
【００１１】
また、本発明の携帯機器において、上記操作子が、クリック用の突起部を有し、上記筐体が、棒状体が第１の孔内に、その第１の孔の更なる奥への挿入が不能な位置まで挿入された第１の位置にあるときに上記突起部が入り込む第１の凹部と、棒状体が第１の孔から、操作子がストッパ部に当接する第２の位置まで引き抜かれたときに突起部が入り込む第２の凹部と、それら第１の凹部と第２の凹部との間に形成され突起部が乗り越えることでクリック感を与える壁部とを有することが好ましい。
【００１２】
ブザーの、作動状態と非作動状態との間の操作子の動きにクリック感を与えることにより、操作性がさらに向上する。
【００１３】
さらに、本発明の、携帯機器は、無線通信機能を有する携帯電話機であってもよい。
【００１４】
本発明は携帯電話機に好適に適用することができる。
【発明の効果】
【００１５】
以上の本発明によれば、小型化、軽量化の要請を満足しつつブザーを搭載し、かつ防水性能を付与することができる。
【発明を実施するための最良の形態】
【００１６】
以下、本発明の実施形態について説明する。
【００１７】
図１は、本発明の携帯機器の一実施形態である携帯電話機の外観を示す斜視図である。
【００１８】
この携帯電話機１は、本体ユニット１０と、表示ユニット２０とを有し、表示ユニット２０は本体ユニット１０に軸支されて開閉する構造となっている。
【００１９】
本体ユニット１０には、ユーザによる操作を受けて電話番号やその他様々な情報を入力するためのキー１１が多数配列されており、また、その下端部には、内部のマイクロホンに通じる送話口１２が設けられている。
【００２０】
また、表示ユニット２０には、その中央に画像表示用の表示画面２１が備えられており、その上部には、内部の発音体からの音を出力するための受話口２２が備えられている。
【００２１】
この携帯電話機１には、無線電話機能のほか、電子メールの送受信機能やその他の様々な機能が組み込まれているが、本実施形態はそれらの機能自体は主題ではなく、ここでは、それらの詳細は割愛する。
【００２２】
図２は、本体ユニットを背面側から見た斜視図である。
【００２３】
この本体ユニット１０の上部には、防犯ブザー用の操作子１４が備えられており、また、その側面には、本体ユニット１０の筐体１３の内部に備えられたコネクタ（図示せず）が覗く開口を塞ぐ蓋１７が備えられ、またこの本体ユニット１０の下部には、電池室を覆うリアカバー１８が備えられている。リアカバーの内側の電池室内には電池パックが装填されており、この携帯電話機はその装填されている電池パックからの供給電力で動作する。
【００２４】
また、防犯ブザー用の操作子１４、コネクタが配置された開口を塞ぐ蓋１７、リアカバー１７は、いずれも、筐体１３とともにこの本体ユニット１０の外形を形成している。
【００２５】
図３は、防犯ブザー用の操作子を外して示した本体ユニットの分解斜視図、図４は、本体ユニットを背面側から見たときの、図３と同様の分解斜視図である。
【００２６】
防犯ブザー用の操作子１４は、本体ユニット１０の筐体１３とともに、この携帯電話機の外形を形成するモールド部品１４１と、そのモールド部品１４１に一端が固定されたシャフト１４２を備えている。モールド部品１４１には紐を通すための孔１４１ａが設けられている。シャフト１４２は、孔明きのブッシュ１５とＯリング１６に挿入され、さらに本体ユニット１０の筐体１０に形成された孔１３１に挿入される。詳細は後述する。
【００２７】
本体ユニット１０の筐体１３は、前面側筐体と背面側筐体とで構成されている。
【００２８】
図５は、本体ユニットの筐体のうちの背面側筐体と防犯ブザー用の操作子とを示す分割斜視図、図６は、その背面側筐体を背面側から見たときの、図５と同様の分解斜視図である。
【００２９】
防犯ブザー用の操作子１４を構成するシャフト１４２が挿入される挿入孔１３１は、図３，図４に示す筐体１３のうちの背面側筐体１３０に形成されている。
【００３０】
また、防犯ブザー用の操作子１３には、一対の板金部材１４３が、シャフト１４２の両側に１つずつ固定されており、背面側筐体１３０には、シャフト１４２が孔１３１に挿抜される方向に操作子１４が操作されたときに板金部材１４３を案内する案内壁１３２が、孔１３１の両側に形成されている。これら板金部材１４３および案内壁１３２の詳細についても後述する。
【００３１】
この防犯ブザー用の操作子１４を、図２に示す、シャフト１４２が、孔１３１に、それ以上挿入できない位置まで挿入された状態からシャフト１４２を引き抜く方向に移動させると、モールド部品１４１の、シャフト１４２の一端が圧入された部分の頭部１４１ｂが、筐体１３の壁に形成されたストッパ１３３（図４参照）に当接し、それ以上引き抜けない状態となる。したがって、その操作子１４を再び、その位置から押し込むことにより、繰り返し使用することができる。
【００３２】
図７，図８は、シャフトとスイッチの相互作用を示す図であり、図７は防犯ブザー用の操作子１４が、図２に示す位置まで押し込まれた状態のシャフトとスイッチとの位置関係を示す図、図８は、防犯ブザー用の操作子１４が、モールド部品１４１の頭部１４１ｂが筐体１３のストッパ１３３に当接した位置まで引き抜かれた状態のシャフトとスイッチとの位置関係を示す図である。
【００３３】
本体ユニット１０の筐体１３の内部には、スイッチ２１およびブザー２２が搭載されており、操作子１４が図２に示す位置にあるときは、図７に示すように、シャフト１４２がスイッチ２１のアーム２１１と干渉し、この状態ではブザー２２が作動しない構成となっている。操作子１４が引き抜き方向に操作されると、図８に示すように、シャフト１４２がスイッチ２１のアーム２１１から離れ、スイッチ２１は操作子１４が操作されたことを検知し、ブザー２２が作動する。操作子１４を再び、図２に示す位置まで押し込むと、図７に示すように、シャフト１４２がスイッチ２１のアーム２１１に干渉し、ブザーの作動が停止する。
【００３４】
図９は、防犯ブザー用の操作子の構造を示した分解斜視図、図１０は、図９とは反対側から見たときの同様の分解斜視図である。
【００３５】
この防犯ブザー用の操作子１４は、前述したように、この携帯電話機の外観の一部を成すモールド部品１４１と、そのモールド部品１４１に一端が圧入されたシャフト１４２と、そのシャフト１４２の両側に１つずつ配置された一対の板金部材１４３を備えている。これらの板金部材１４３は、モールド部品１４１に、ネジ１４４で固定されている。
【００３６】
ここで、この板金部材１４３は、シャフト１４２が延びる挿抜方向に凸曲面が形成された絞り部１４３ａが形成されている。この絞り部１４３ａは、図５に示す案内壁１３２に向かって突出して、案内壁１３２に当接しており、この操作子１４が操作されると、その絞り部１４３ａが案内壁１３２上を移動する。
【００３７】
図１１は、防犯ブザー用の操作子のシャフトが筐体内に挿入されている状態を示した断面図である。
【００３８】
本体ユニットを構成する背面側筐体１３０に設けられた孔１３１は、入口側の部分１３１ａがシャフト１４２の径よりも広く、途中に段差１３１ｂが形成され、その段差１３１よりも奥の部分１３１ｃが細径に形成されている。図３，図４に示すブッシュ１５には、シャフト１４２が貫通する孔１５１が形成されており、このブッシュ１５は、孔１３１の入口の部分に圧入されている。また、孔１３１の入口側の部分１３１ａであって、ブッシュ１５よりも奥には、段差１３１ｂとブッシュ１５とにより位置規制された状態にＯリング１６が配置されている。このＯリング１６は、シャフト１４２と孔１３１の内壁との双方に接し、そのＯリング１６よりも奥への水の浸入を防止している。このシャフト１４２の、孔１３１に差し込まれた先端近傍には、スイッチ２１（図７，図８参照）に作用する作用点１４２ａが存在する。シャフト１４２が引き抜かれる方向に操作子１４が操作されると、モールド部品１４１の、シャフト１４２が圧入された頭部１４１ｂが、本体ユニット１０の筐体に設けられたストッパ１３３に当接し、操作子１４がそれ以上抜けてしまうことが防止されている。したがって、操作子１４は、Ｏリング１６により内部への水の浸入が防がれた状態のまま、繰り返し操作することが可能となっている。
【００３９】
尚、ここではこの防犯ブザー用の操作子１４に関する防水構造のみを示したが、この携帯電話機全体について防水対策が施されており、この携帯電話機は防水機能を有する携帯機器として構成されている。
【００４０】
図１２，図１３は、防犯ブザー用の操作子に備えられた板金部材の絞り部と、筐体に設けられた案内壁との相互作用を示す図であり、図１２は、操作子１４が図２に示すように差し込まれた状態、図１３は、操作子１４がストッパに当たるまで引き抜かれた状態を示している。
【００４１】
板金部材１４３は、前述のように、挿抜方向に曲面を持って筐体の案内壁１３２に向かって突出した絞り部１４３ａを有する。
【００４２】
この案内壁１３２は、操作子１４が図２に示すように差し込まれているときに板金部材１４３の絞り部１４３ａが入り込む第１の凹部１３２ａと、図１３に示すように引き抜かれたときに絞り部１４３ａが入り込む第２の凹部１３２ｂと、それら第１の凹部１３２ａと第２の凹部１３２ｂとの間に形成された壁部１３２ｃとを有する。このため、この操作子１２が図１２に示す差し込まれた状態から、図１３に示す引き抜かれた状態に移動するとき、およびそれとは逆に、図１３に示す状態から図１２に示す状態に差し込まれるときに、壁部１３２ｃを乗り越えることでクリック感を生じさせ、操作性を向上させている。
【００４３】
また、ここでは板金部材１４３を使用することで強度を持たせたことにより、この操作子１４に、図１２に示す矢印×方向に不用意な力が加えられても十分に耐えることができ、高い信頼性が確保されている。
【００４４】
尚、ここでは、本発明を携帯電話機に適用した例について示したが、本発明は携帯電話機に限らず、携帯型のゲーム機やその他の携帯機器に広く採用することができる。
【図面の簡単な説明】
【００４５】
【図１】本発明の携帯機器の一実施形態である携帯電話機の外観を示す斜視図である。
【図２】本体ユニットを背面側から見た斜視図である。
【図３】防犯ブザー用の操作子を外して示した本体ユニットの分解斜視図である。
【図４】本体ユニットを背面側から見たときの、図３と同様の分解斜視図である。
【図５】本体ユニットの筐体のうちの背面側筐体と防犯ブザー用の操作子とを示す分割斜視図である。
【図６】その背面側筐体を背面側から見たときの、図５と同様の分解斜視図である。
【図７】防犯ブザー用の操作子が、図２に示す位置まで押し込まれた状態のシャフトとスイッチとの位置関係を示す図である。
【図８】防犯ブザー用の操作子が、モールド部品の頭部が筐体のストッパに当接した位置まで引き抜かれた状態のシャフトとスイッチとの位置関係を示す図である。
【図９】防犯ブザー用の操作子の構造を示した分解斜視図である。
【図１０】図９とは反対側から見たときの同様の分解斜視図である。
【図１１】防犯ブザー用の操作子のシャフトが筐体内に挿入されている状態を示した断面図である。
【図１２】防犯ブザー用の操作子に備えられた板金部材の絞り部と、筐体に設けられた案内壁との相互作用を示す図である。
【図１３】防犯ブザー用の操作子に備えられた板金部材の絞り部と、筐体に設けられた案内壁との相互作用を示す図である。
【符号の説明】
【００４６】
１    携帯電話機
１０    本体ユニット
１１    キー
１２    送話口
１３    筐体
１４    操作子
１５    蓋    ブッシュ
１６    リアカバー    リング
１７    リアカバー    蓋
２０    表示ユニット
２１    表示画面    スイッチ
２２    受話口    ブザー
１３０    背面側筐体
１３１    孔
１３１ａ    入口側の部分
１３１ｂ    段差
１３１ｃ    奥の部分
１３２    案内壁
１３２ａ    第１の凹部
１３２ｂ    第２の凹部
１３２ｃ    壁部
１３３    ストッパ
１４１    モールド部品
１４１ａ    孔
１４１ｂ    頭部
１４２    シャフト
１４２ａ    作用点
１４３    板金部材
１４３ａ    絞り部    凹部
１４４    ネジ
１５１    孔
２１１    アーム
【図１】
0004829201.tif 000002
【図２】
0004829201.tif 000003
【図３】
0004829201.tif 000004
【図４】
0004829201.tif 000005
【図５】
0004829201.tif 000006
【図６】
0004829201.tif 000007
【図７】
0004829201.tif 000008
【図８】
0004829201.tif 000009
【図９】
0004829201.tif 000010
【図１０】
0004829201.tif 000011
【図１１】
0004829201.tif 000012
【図１２】
0004829201.tif 000013
【図１３】
0004829201.tif 000014